(57)【要約】【課題】キャビネットの蹴込みに簡単に作業性よく取付けられる蹴込み板の取付け構造を提供する。【解決手段】キャビネット５の蹴込み６１に蹴込み板１を取付ける構造であって、該蹴込み板１の下端部の左右両側には上記蹴込み板１の下面と面一とされた位置決め用凸部３が長さ方向に突設され、上記蹴込み板１の左右両端部の上下方向略中央部には、ネジ孔２１を備えたネジ固定用凸部２が上記位置決め用凸部３と略直角方向内向きに設けられた蹴込み板の取付け構造。【選択図】図１
2006006562.tif 000002
【特許請求の範囲】
【請求項１】
キャビネットの蹴込みに蹴込み板を取付ける構造であって、該蹴込み板の下端部の左右両側には上記蹴込み板の下面と面一とされた位置決め用凸部が長さ方向に突設され、上記蹴込み板の左右両端部の上下方向略中央部には、ネジ孔を備えたネジ固定用凸部が上記位置決め用凸部と略直角方向内向きに設けられた蹴込み板の取付け構造。
【請求項２】
上記ネジ孔がＵ字型の切り欠き部である請求項１に記載の蹴込み板の取付け構造。
【請求項３】
上記キャビネットの側板の底部に支持脚を凸設して蹴込みを形成した請求項１に記載の蹴込み板の取付け構造。
【請求項４】
上記蹴込み板の上部に切り欠き溝を有する継ぎ板部が延設された請求項１に記載の蹴込み板の取付け構造。
【請求項５】
上記蹴込み板を可撓性材料から形成するとともに、上記位置決め用凸部とネジ固定用凸部とを同一平面に一体成型し、上記蹴込み板の取付け時に上記ネジ固定用凸部を上記位置決め用凸部と略直角方向内側に折り曲げ、ネジ固定可能とされた請求項１に記載の蹴込み板の取付け構造。
【発明の詳細な説明】
【技術分野】
【０００１】
本発明は、蹴込み板の取付け構造に関する。さらに詳しくは、洗面キャビネットやキッチンキャビネット等の各種キャビネットの組立工程において、蹴込みに蹴込み板を取付ける際の取付け構造に関する。
【背景技術】
【０００２】
従来、洗面所やキッチンの床上で使用される洗面キャビネットやキッチンキャビネット等においては、通常、足回りの邪魔とならないように、キャビネットの下部前面に蹴込みが設けられている。この蹴込みに取付ける蹴込み板の取付け構造に関しては、種々の先行技術が公知であり、例えば、下記特許文献をあげることができる。
【特許文献１】特開２００３−１６４３４０号公報（第１−３頁、第１、２図）
【発明の開示】
【発明が解決しようとする課題】
【０００３】
上記技術においては、上記第２図に示されているように、蹴込みの両側に配置されたキャビネットの一対の側板に一対の支持部材を固定し、この一対の支持部材で蹴込み板を挟持している。上記支持部材は、上記第２図から明らかなように、蹴込み板を挟持するとともに、上下方向に位置決め保持するためのストッパーを備え、かつ、側板に固定されるため、組立工程における作業工数が多く、構造も複雑であるという等の問題がある。本発明はこのような問題を解決して、キャビネットの下部前面の蹴込みに、簡単に作業性よく蹴込み板を取付けることのできる蹴込み板の取付け構造を提供することを、その課題とする。
【課題を解決するための手段】
【０００４】
上記課題を解決するために本発明においては、つぎのような技術的手段を講じている。すなわち、本発明によれば、キャビネットの蹴込みに蹴込み板を取付ける構造であって、該蹴込み板の下端部の左右両側には上記蹴込み板の下面と面一とされた位置決め用凸部が長さ方向に突設され、上記蹴込み板の左右両端部の上下方向略中央部には、ネジ孔を備えたネジ固定用凸部が上記位置決め用凸部と略直角方向内向きに設けられた蹴込み板の取付け構造が提供される。
【０００５】
上記ネジ孔は、固定用のビスが挿通する孔部であれば、とくに限定されるものではないが、好ましくは、Ｕ字型の切り欠き部が用いられる。また、上記蹴込みは、キャビネットの下部前面を側面視Ｌ字型に切り欠いて形成してもよいが、上記キャビネットを構成する側板の底部に支持脚を凸設してキャビネットを床上に浮かせて下部前面に空間を形成し、蹴込みとしてもよい。
【０００６】
さらに、上記蹴込み板の上部に切り欠き溝を有する継ぎ板部を延設するとともに、この切り欠き溝を折り曲げ可能とし、蹴込み板を所望の高さに調節できるようにすることが好ましい。
【０００７】
また、上記蹴込み板を可撓性材料から形成するとともに、上記位置決め用凸部とネジ固定用凸部とを同一平面に一体成型し、上記蹴込み板の取付け時に上記ネジ固定用凸部を上記位置決め用凸部と略直角方向内側に折り曲げ、ネジ固定するようにしてもよい。上記可撓性材料としては、通常、合成樹脂成形品が用いられる。
【発明の効果】
【０００８】
請求項１に記載の発明は上記のとおりであり、上記蹴込み板の左右両端部の上下方向略中央部には、ネジ孔を備えたネジ固定用凸部が上記位置決め用凸部と略直角方向内向きに設けられているため、組立工程において、上記蹴込み板をキャビネットの下部前面の蹴込みに内嵌し、左右位置決め用凸部を左右両側板の下面にあてがえば、蹴込み板の位置決めを簡単に行なうことができる。
【０００９】
上記ネジ孔がＵ字型の切り欠き部であるため、位置決めの際に微妙な位置調整ができるとともに、この切り欠き部を左右２本のビスで固定することにより、上記蹴込み板をキャビネットの左右両側板にしっかりと取付けることができる。また、上記キャビネットの側板の底部に支持脚を凸設して蹴込みを形成するため、側板と床面との間に隙間ができて手を掛け易く、重いキャビネットの持ち上げや移動とうを容易に行なうことができる。
【００１０】
さらに、可撓性材料から形成した蹴込み板の位置決め用凸部とネジ固定用凸部とを同一平面に一体成型し、上記蹴込み板の取付け時に上記ネジ固定用凸部を上記位置決め用凸部と略直角方向内側に折り曲げ、ネジ固定可能とされているため、蹴込み板の製造コストや輸送、貯蔵コストを低減することができる。
【発明を実施するための最良の形態】
【００１１】
以下、本発明にかかる蹴込み板の取付け構造の実施形態について図面を参照して詳細に説明する。図１は、本発明の第一実施形態にかかる蹴込み板１を示す斜視図である。図１において、蹴込み板１の下端部の左右両側には上記蹴込み板１の下面と面一とされた位置決め用凸部３が長さ方向に突設され、上記蹴込み板１の左右両端部の上下方向略中央部には、Ｕ字型の切り欠き部２１を備えたネジ固定用凸部２が上記位置決め用凸部３と略直角方向内向きに、蹴込み板１の側面と面一に設けられている。
【００１２】
一方、上記蹴込み板１が装着されるキャビネット５は図２に示すように、底板７、側板８を有するとともに、側板８の底部には各２個の支持脚６が設けられ、この支持脚６によってキャビネット５と床面との間には隙間ができてキャビネット５の下部前面には蹴込み６１が形成される。上記蹴込み板１は、図１に示すように位置決め用凸部３を備えているため、組立工程においては、蹴込み板１をキャビネット５の下部の左右両側板８の間に内嵌し、各位置決め用凸部３を左右両側板８の下面にあてがえば、蹴込み板１の位置決めを簡単に行なうことができる。
【００１３】
ついで、図２に示すビス４を、ネジ固定用凸部２に設けられた切り欠き部２１を介して各側板８に螺入することにより、２本のビス４で蹴込み板１を左右両側板８にしっかりと固定でき、蹴込み６１を確保することができる。図３は、このようにして取付けられた第一実施形態にかかる蹴込み板１の取付け構造を示す側断面図である。
【００１４】
つぎに、本発明の第二実施形態について説明する。図４は、第二実施形態かかる蹴込み板９を示す斜視図であり、本実施形態においては、蹴込み板９の上部に継ぎ板部９１を延設するとともに、この継ぎ板部９１には適当な間隔で切り欠き溝９１１が設けられている。この切り欠き溝９１１は折り曲げ可能とされており、底板７の床面からの高さに合わせて適当な位置で折り曲げることにより、蹴込み板９を底板７の設置高さに合わせることができる。図５は、底板７の設置高さに合わせ、中間部の切り欠き溝９１１を折り曲げた本発明の第二実施形態を示す側断面図である。このように第２実施形態においては、蹴込み板を高いものに交換したり、あるいは、継ぎ足すことなく、キャビネット５の仕様に応じて随時蹴込み板９の高さを調節することが可能となる。
【００１５】
なお、上記第一、第二実施形態においては、予めネジ固定用凸部２を位置決め用凸部３と略直角方向内向きに設けた蹴込み板が用いられたが、蹴込み板を可撓性材料から形成するとともに、上記位置決め用凸部とネジ固定用凸部とを同一平面に一体成型し、その後、蹴込み板の取付け時にネジ固定用凸部を位置決め用凸部と略直角方向内側に折り曲げ、ネジ固定できる形態としてもよい。以上述べたように、本発明の蹴込み板の取付け構造は、洗面キャビネット、キッチンキャビネット、収納家具、調理台、ガス台等、床面上に設置される各種のキャビネットに適用でき、いずれの場合も本発明の技術的範囲に含まれる。
【図面の簡単な説明】
【００１６】
【図１】本発明の第一実施形態にかかる蹴込み板を示す斜視図である。
【図２】上記蹴込み板が装着されるキャビネットを示す部分斜視図である。
【図３】上記第一実施形態の蹴込み板の取付け構造を示す側断面図である。
【図４】本発明の第二実施形態にかかる蹴込み板を示す斜視図である。
【図５】上記第二実施形態の蹴込み板の取付け構造を示す側断面図である。
【符号の説明】
【００１７】
１          第一実施形態にかかる蹴込み板
２          ネジ固定用凸部
２１        切り欠き部
３          位置決め用凸部
４          ビス
５          キャビネット
６          支持脚
６１        蹴込み
７          底板
８          側板
９          第二実施形態かかる蹴込み板
９１        継ぎ板部
９１１      切り欠き溝
【図１】
2006006562.tif 000003
【図２】
2006006562.tif 000004
【図３】
2006006562.tif 000005
【図４】
2006006562.tif 000006
【図５】
2006006562.tif 000007